(57)【要約】【課題】  必要な強度を保持しつつ開閉が楽な軽量化を達成し、かつ安価に製作できるグレーチング製ます蓋を備えた集水ますを開発する。【解決手段】  開口１’上部をます蓋４の落とし口２に拡幅形成してなるコンクリートブロック製の集水ます本体１と、上記落とし口２に嵌合設置されるグレーチング製のます蓋４と、上記落とし口２内周の拡幅段差面に施工され、ます蓋４の底面中央部を支持する受け枠３とを備える集水ますにおいて、集水ます本体１の開口１’内に、ます蓋４のメインバー５配設方向に対して直交に水平配置され、落とし口２に嵌合設置されるます蓋４の底面中央部を支持する支持部材７を設ける。【選択図】  図１
2005220646.tif 000002
【特許請求の範囲】
【請求項１】
開口上部をます蓋の落とし口に拡張形成してなるコンクリートブロック製の集水ます本体と、上記落とし口に嵌合設置されるグレーチング製のます蓋と、上記落とし口内周の拡幅段差面に施工され、ます蓋の底面周辺部を支持する受け枠とを備える集水ますにおいて、集水ます本体の開口内に、ます蓋のメインバー配設方向に対して直交に水平配置され、落とし口に嵌合設置されるます蓋の底面中央部を支持する支持部材を設けたことを特徴とする集水ます。
【請求項２】
ます蓋の底面中央部を支持する支持部材は、複数本が集水ますの開口内に等間隔で配設されている請求項１に記載の集水ます。
【請求項３】
支持部材は、その両端部を、集水ます本体の開口内面に設けた落とし口内に連通する凹部に嵌合させて着脱可能に配設されている請求項１又は２に記載の集水ます。
【請求項４】
開口上部を溝蓋の落とし口に拡幅形成してなるコンクリートブロック製の側溝本体と、上記落とし口に嵌合設置されるグレーチング製の溝蓋と、落とし口内の拡幅段差面に施工され、溝蓋底面のクロスバー配設方向の両側辺部を支持する受け枠とを備える側溝において、その側溝本体の開口内に、溝蓋のメインバー配設方向に対して直交に水平配置され、落とし口に嵌合設置される溝蓋の底面部を等間隔で支持する複数本の支持部材を設けたことを特徴とする側溝。
【請求項５】
支持部材は、その両端部を、側溝本体の開口内面に設けた落とし口内に連通する凹部に嵌合させて着脱可能に配設されている請求項４に記載の側溝。
【発明の詳細な説明】
【技術分野】
【０００１】
本発明は、下水、雨水などの集排水に使用される集水ますに係り、特に集水ます開口部に設置されるグレーチング製ます蓋の重量を強度低下なく軽減できる構造の集水ますに関する。
【背景技術】
【０００２】
一般に、この種の集水ますは、図１０に示すように、開口１’部にます蓋４が嵌合する落とし口２を備えたコンクリート製の集水ます本体１と、上記落とし２口に嵌合設置されるグレーチング製のます４蓋と、落とし口２の内周面に施工され、ます蓋４の底面周辺部を支持する受け３枠とで構成されている。
【０００３】
このような集水ますは、定期的にます蓋４を開けて、集水ます内部に溜まった落ち葉等のゴミを除去する必要がある。このため、この種のグレーチング製ます４蓋には、必要な強度を備え、かつ軽量で、開閉作業を楽に行なえるものが求められている。
【０００４】
ます蓋に使用できる 軽量構造のグレーチングとしては、従来より、グレーチングを構成するメインバー（主部材）の厚みを薄くするとともに、これらのメインバーの上部を波状ないしジグザグ状に屈曲加工することにより、一定の強度を確保しつつ軽量化したものがある（例えば、特許文献１参照）。
【０００５】
また、ヒンジにて回転させる開閉式のグレーチング蓋にバランスウェイト等の開閉補助機構を取り付けることによって、開閉時の重量を軽減しようとするものもある（例えば、特許文献２参照）。
【０００６】
【特許文献１】特開２００２−３４９０１０号公報
【特許文献２】特開２０００−１４４８７１号公報
【発明の開示】
【発明が解決しようとする課題】
【０００７】
しかしながら、上記した従来の軽量構造のグレーチングは、いずれも特殊な形状や複雑な構造のものであるため、製作費用が高くつくという問題があった。
【０００８】
本発明は、このような問題を解決するためになされたものであり、軽量でありながら、必要な強度を保持し、かつ安価に製作できるグレーチング製ます蓋を備えた集水ますの提供を目的とする。
【課題を解決するための手段】
【０００９】
上記目的を達成する本発明の集水ますは、開口上部をます蓋の落とし口に拡幅形成してなるコンクリートブロック製の集水ます本体と、上記落とし口に嵌合設置されるグレーチング製のます蓋と、上記落とし口内周の拡幅段差面に施工され、ます蓋の底面周辺部を支持する受け枠とを備える集水ますにおいて、当該集水ます本体の開口内に、ます蓋のメインバー配設方向に対して直交に水平配置され、落とし口内に嵌合設置されるます蓋の底面中央部を支持する支持部材を設けたことを特徴とするものである。
【００１０】
本発明において、ます蓋の底面中央部を支持する支持部材は、１本に限るものではなく、複数本を集水ますの開口内に等間隔で配設してもよい。
【００１１】
また、支持部材は、その両端部を、集水ます本体の開口内面に設けた落とし口内に通じる凹部に嵌合させて配設するのがよい。この場合には、集水ますの清掃時等において、支持部材を落とし口を介して簡単に着脱することができる。
【発明の効果】
【００１２】
上記構成よりなる本発明の集水ますは、その開口内にます蓋の底面中央部を支持する支持部材を、ます蓋のメインバー配設方向に対して直交方向に配設したから、ます蓋の底面周辺部のみを受け枠にて支持するものに比べて、メインバーの支点間距離が小さくなり、ます蓋の耐荷重強度が高まる。したがって、グレーチングを構成するメインバー等の部材の厚さや高さを従来よりも小さく設定することができ、使用するます蓋を、必要な強度を損なうことなく軽量化することができる。また、このます蓋は通常のグレーチング構造であるから、安価に製作することができる。
【発明を実施するための最良の形態】
【００１３】
以下、本発明の実施形態を図面に基づいて説明する。
【実施例１】
【００１４】
図１〜図３は、本発明を実施した集水ますの一例であり、集水ます本体１と、ます蓋４と、受け枠３とを備えている。
【００１５】
すなわち、集水ます本体１は、コンクリートブロックにて一辺ａが６００ｍｍの正方形状のます形に形成したものである。集水ます本体１には、その開口１’上部を一辺ａ’７２２ｍｍの正方形状に拡幅した深さｄ４４ｍｍの落とし口２が形成してある。この落とし口２は、後述するます蓋４が嵌合設置されるようにしたものであり、その内周には、開口１’との拡幅段差面に１”に、アングル材で形成した受け枠３が施工してある。受け枠３は、落とし口２に嵌合設置されるます蓋４の底面周辺部を支持するものである。
【００１６】
ます蓋４は、メインバー５とクロスバー６を格子状に組み合わせてなるグレーチングで形成されている。図示例では、メインバー５として、図４に示すような高さｔ３８ｍｍ、厚さｆ５ｍｍ、長さＬ’７００ｍｍのＩ形鋼をピッチＰ１５ｍｍで配設し、これにクロスバー６として長さ７００ｍｍの６ｍｍ角線材をピッチＰ’１００ｍｍで直交に組み合わせて配設することにより、一辺Ｌが７００ｍｍの正方形状をなす高さｔ３８ｍｍ、総重量２３．３ｋｇのます蓋に形成している。
【００１７】
集水ます本体１の開口１’部には、支持部材７が設けられている。この支持部材７は、落とし口２に嵌合されるます蓋４の底面中央部を支持するものであり、開口１’のほぼ中央部において、上記ます蓋４のメインバー５配設方向に対して直交方向に水平に配設されている。
【００１８】
図示例の支持部材７は、図５に示すように、フランジ幅ｗ５０ｍｍ、ウェブ高さｔ’１００ｍｍ、厚さｆ５ｍｍのＨ形鋼で形成してあり、その一方のフランジ面がます蓋４の支持面となっている。支持部材７は、長さＬ”がます蓋４と同じ７００ｍｍに形成してあり、その両端部約５０ｍｍを、開口１’の内面に対向させて設けられた溝状の凹部８，８に嵌合させて取り付けるようになっている。 各凹部８，８は、その上端を落とし口２内に連通させて設けてある。このため、凹部８，８に嵌合された支持部材７を落とし口２を介して外部へ引き抜いたり、反対に外部から落とし口２を介して凹部８，８に嵌め込むことが可能である。
【００１９】
また、図示例では、上記凹部８，８の内面を金属プレート９でライニングするとともに、支持部材７両端部の上下フランジ側面間に、膨出部１０を備えた金属プレート１１，１１を取り付けている。これにより、支持部材７の凹部８，８との嵌合時のガタツキを防止するとともに、支持部材７着脱時における凹部８，８との摺動性を高めている。
【００２０】
上記の如く構成された集水ますにおいては、集水ます本体１の開口１’内に支持部材７を設けて、落とし口２に嵌合設置されるます蓋４の底面中央部が支持されるようにしたから、ます蓋４の耐荷重強度を大きく高めることができる。このため、従来は、本実施例と同規模の集水ますの場合、メインバー５として高さｔ５５ｍｍ、厚さｆ７ｍｍ、長さＬ７００ｍｍのＩ形鋼を使用した総重量３２．６ｋｇのグレーチング製ます蓋を必要としていたのに対して、本発明では、前記したとおり総重量２３．３ｋｇのグレーチング製ます蓋で従来とほぼ同等の耐荷重強度が得られ、約４０パーセント以上ます蓋４の総重量を軽量化できることが判明した。
【実施例２】
【００２１】
支持部材７は、集水ます本体１の開口１’中央部に１本のみ配設する場合の他、図６に示すように、２本以上の複数本を等間隔で配設してもよい。この場合には、グレーチング製ます蓋４の総重量をさらに軽量化することが可能である。  
【実施例３】
【００２２】
図７〜図９は、本発明を側溝に適用した例である。すなわち、開口１２’上部を溝蓋の落とし口２に拡幅形成してなるコンクリートブロック製の側溝本体１２と、上記落とし口２に嵌合設置されるグレーチング製の溝蓋１４と、落とし口２内の拡幅段差面に施工され、溝蓋１４底面のクロスバー６配設方向の両側辺部を支持する受け枠３，３とを備える側溝において、その側溝本体１２の開口１２’内に、溝蓋１４のメインバー５配設方向に対して直交に水平配置され、落とし口２に嵌合設置される溝蓋１４の底面部を等間隔で支持する複数本の支持部材７を設ける。これにより、溝蓋１４を構成するメインバー５の支点間距離を小さくして、耐荷重強度を損なうことなく溝蓋１４総重量の軽量化を図った例である。各支持部材７は、前記集水ますの場合と同様、その両端部を開口１２’内面に設けた落とし口２に連通する凹部８，８に嵌合させて取り付けてあり、着脱可能となっている。
【００２３】
なお、実施例１、実施例２に示したグレーチング製ます蓋４および実施例３に示したグレーチング製溝蓋１４は、いずれも図示していないが、落とし口２に嵌合設置後、その四隅を固定用ボルトにて受け枠３に固定するものである。
【図面の簡単な説明】
【００２４】
【図１】本発明に係る集水ますを説明する縦断側面図である。
【図２】図１の要部を破断して示す平面図である。
【図３】図１のＢ−Ｂ線断面図である。
【図４】本発明に係るます蓋のメインバーを説明する断面図である。
【図５】図２のＡ−Ａ線拡大断面図である。
【図６】本発明に係る集水ますの他の実施例を説明する縦断側面図である。
【図７】本発明を溝蓋に適用した実施例を説明する縦断側面図である。
【図８】図７の要部を破断して示す平面図である。
【図９】図７のＢ−Ｂ線断面図である。
【図１０】従来の集水ますを説明する縦断側面図である。
【符号の説明】
【００２５】
１  集水ます本体
２  落とし口
３  受け枠
４  ます蓋
５  メインバー
７  支持部材
８  凹部
１２  側溝本体
１４  溝蓋
【図１】
2005220646.tif 000003
【図２】
2005220646.tif 000004
【図３】
2005220646.tif 000005
【図４】
2005220646.tif 000006
【図５】
2005220646.tif 000007
【図６】
2005220646.tif 000008
【図７】
2005220646.tif 000009
【図８】
2005220646.tif 000010
【図９】
2005220646.tif 000011
【図１０】
2005220646.tif 000012